(57)【要約】【課題】本発明は、フェースプレートのボックスへの取付・取り外しを容易にすることができるエレベータの操作盤を得ることを目的とするものである。【解決手段】ボックス６内には、フェースプレート７の裏面に対向する平板状のスライダ部１１ａが設けられている。スライダ部１１ａには、上下方向に連続した長孔状のガイド孔が設けられている。スライダ部１１ａは、下方へ向けてフェースプレート７から離れる方向へ傾斜されている。フェースプレート７の裏面には、ガイド孔に挿入されスライダ部１１ａに係合されるガイド軸１６が設けられている。フェースプレート７に設けられたフェースプレート側ねじ固定部１７は、ボックス６内に設けられたボックス側ねじ固定部１３にねじ止めされる。【選択図】図８
2012153520.tif 000002
【特許請求の範囲】
【請求項１】
ボックス、
開口部を有し、上記ボックスの正面に取り付けられるフェースプレート、
上記フェースプレートの裏面に対向して上記ボックス内に設けられ、上下方向に連続した長孔状のガイド孔が設けられている平板状のスライダ部、
上記フェースプレートの裏面に設けられ、上記ガイド孔に挿入され上記スライダ部に係合されるガイド軸、
上記開口部に対向して上記ボックス内に設けられているボックス側ねじ固定部、及び
上記フェースプレートに設けられ、上記ボックス側ねじ固定部にねじ止めされるフェースプレート側ねじ固定部
を備え、
上記スライダ部は、下方へ向けて上記フェースプレートから離れる方向へ傾斜されていることを特徴とするエレベータの操作盤。
【請求項２】
上記ガイド軸は、棒状のガイド軸本体と、上記ガイド軸本体の先端に設けられ、上記ガイド軸本体よりも大径の抜止部とを有しており、
上記ガイド孔は、上端部に設けられ、上記抜止部が通過可能な大径部と、上記抜止部の通過を阻止しつつ上記ガイド軸本体を上下方向に案内する長孔部とを有していることを特徴とする請求項１記載のエレベータの操作盤。
【請求項３】
上記ガイド軸本体には、上記ガイド孔に挿入する方向への上記ガイド軸の変位を規制するストッパ部が設けられていることを特徴とする請求項２記載のエレベータの操作盤。
【発明の詳細な説明】
【技術分野】
【０００１】
この発明は、エレベータの操作盤に関し、特にフェースプレートのボックスへの取付構造に関するものである。
【背景技術】
【０００２】
従来のエレベータのかご操作盤では、ボックスにピンが設けられており、フェースプレートに弾性体が設けられている。そして、弾性体とピンとを係合させることにより、フェースプレートがボックスに取り付けられる（例えば、特許文献１参照）。
【先行技術文献】
【特許文献】
【０００３】
【特許文献１】実開昭５９−７８３６２号公報
【発明の概要】
【発明が解決しようとする課題】
【０００４】
上記のような従来のかご操作盤では、ボックスに設けられたピンとフェースプレートに設けられた弾性体とが係合することにより、フェースプレートをボックス側へ引き込む力が発生するため、ボックスからフェースプレートを取り外す際には、引込力以上の力が必要となり、フェースプレートの取り外しに手間がかかる。
【０００５】
この発明は、上記のような課題を解決するためになされたものであり、フェースプレートのボックスへの取付・取り外しを容易にすることができるエレベータの操作盤を得ることを目的とする。
【課題を解決するための手段】
【０００６】
この発明に係るエレベータの操作盤は、ボックス、開口部を有し、ボックスの正面に取り付けられるフェースプレート、フェースプレートの裏面に対向してボックス内に設けられ、上下方向に連続した長孔状のガイド孔が設けられている平板状のスライダ部、フェースプレートの裏面に設けられ、ガイド孔に挿入されスライダ部に係合されるガイド軸、開口部に対向してボックス内に設けられているボックス側ねじ固定部、及びフェースプレートに設けられ、ボックス側ねじ固定部にねじ止めされるフェースプレート側ねじ固定部を備え、スライダ部は、下方へ向けてフェースプレートから離れる方向へ傾斜されている。
【発明の効果】
【０００７】
この発明のエレベータの操作盤は、フェースプレートをボックスに取り付ける際、スライダ部の傾斜とフェースプレートの自重とにより、フェースプレートをボックス側に引き込ませることができる。また、フェースプレートのボックスへの取付に弾性体を用いないため、大きな力を必要としない。このため、フェースプレートのボックスへの取付・取り外しを容易にすることができる。
【図面の簡単な説明】
【０００８】
【図１】この発明の実施の形態１によるエレベータのかご操作盤の設置状態を示す正面図である。
【図２】図１のかご操作盤を示す正面図である。
【図３】図２のかご操作盤を示す側面図である。
【図４】図３のボックスを矢印Ａ方向から見た正面図である。
【図５】図３のフェースプレートを矢印Ｂ方向から見た背面図である。
【図６】図５の軸付き金具を拡大して示す斜視図である。
【図７】図４のスライダ金具を拡大して示す斜視図である。
【図８】図３のフェースプレートをボックスに取り付ける直前の状態を示す断面図である。
【図９】図８のガイド軸をガイド孔に挿入した状態を示す断面図である。
【図１０】図９のフェースプレートを斜め下方へ移動させた状態を示す断面図である。
【図１１】図１０のフェースプレート側ねじ固定部をボックス側ねじ固定部にねじ止めした状態を示す断面図である。
【図１２】この発明の実施の形態２によるかご操作盤の軸付き金具を示す斜視図である。
【図１３】実施の形態２のフェースプレートをボックスに取り付ける直前の状態を示す断面図である。
【図１４】図１３のガイド軸をガイド孔に挿入した状態を示す断面図である。
【図１５】図１４のフェースプレートを斜め下方へ移動させ、フェースプレート側ねじ固定部をボックス側ねじ固定部にねじ止めした状態を示す断面図である。
【発明を実施するための形態】
【０００９】
以下、この発明を実施するための形態について、図面を参照して説明する。
実施の形態１．
この発明の実施の形態１によるエレベータのかご操作盤の設置状態を示す正面図である。図において、かご室１の正面には、かご出入口２が設けられている。かご出入口２は、一対のかごドア３ａ，３ｂにより開閉される。かご出入口２の両側には、一対の袖壁４ａ，４ｂが設けられている。袖壁４ａには、かご操作盤５が設置されている。
【００１０】
図２は図１のかご操作盤５を示す正面図、図３は図２のかご操作盤５を示す側面図である。かご操作盤５は、袖壁４ａに固定されるボックス６と、ボックス６の正面に取り付けられたフェースプレート７とを有している。フェースプレート７には、インジケータ８、複数の操作ボタン９、及びカバー（開戸）１０が設けられている。カバー１０は、フェースプレート７の下端部近傍に設けられた開口７ａを塞いでいる。
【００１１】
図４は図３のボックス６を矢印Ａ方向から見た正面図である。ボックス６内の上部には、左右一対のスライダ金具１１が固定されている。各スライダ金具１１は、ボックス６の底面に立設された一対のスタッドねじに一対のナット１２を締め付けることにより固定されている。
【００１２】
各スライダ金具１１には、フェースプレート７の裏面に対向する平板状のスライダ部１１ａが設けられている。各スライダ部１１ａには、上下方向に連続した長孔状のガイド孔１１ｂが設けられている。
【００１３】
ボックス６内の下部には、ボックス側ねじ固定部１３が固定されている。ボックス側ねじ固定部１３は、フェースプレート７の開口７ａに対向している。
【００１４】
図５は図３のフェースプレート７を矢印Ｂ方向から見た背面図である。フェースプレート７の裏面のスライダ金具１１に対応する位置、即ち上端部近傍のインジケータ８の両側には、一対の軸付き金具１４が設けられている。各軸付き金具１４は、フェースプレート７の裏面に立設された一対のスタッドねじにナット１５を締め付けることにより固定されている。
【００１５】
各軸付き金具１４には、ガイド孔１１ｂに挿入されスライダ部１１ａに係合されるガイド軸１６が設けられている。フェースプレート７には、ボックス側ねじ固定部１３にねじ止めされるフェースプレート側ねじ固定部１７が固定されている。
【００１６】
図６は図５の軸付き金具１４を拡大して示す斜視図である。ガイド軸１６は、棒状のガイド軸本体１６ａと、ガイド軸本体１６ａの先端に設けられ、ガイド軸本体１６ａよりも大径の抜止部１６ｂとを有している。
【００１７】
図７は図４のスライダ金具１１を拡大して示す斜視図である。ガイド孔１１ｂは、上端部に設けられ、抜止部１６ｂが通過可能な円形の大径部１１ｃと、抜止部１６ｂの通過を阻止しつつガイド軸本体１６ａを上下方向に案内するスリット状の長孔部１１ｄとを有している。スライダ部１１ａは、下方へ向けてフェースプレート７から離れる方向（ボックス６の底面に近付く方向）へ傾斜されている。即ち、フェースプレート７をボックス６に取り付けた状態では、スライダ部１１ａとフェースプレート７との間の距離が上端部から下端部へ向けて連続して大きくなっている。
【００１８】
図８〜図１１は図３のフェースプレート７のボックス６への取付手順を示す断面図であり、図２のＣ−Ｃ断面を示している。フェースプレート７をボックス６に取り付ける場合、まず図８に示すように、抜止部１６ｂが大径部１１ｃに対向するように、フェースプレート７をボックス６に対向させる。この後、図９に示すように、フェースプレート７を矢印Ｐ方向へ前進させ、抜止部１６ｂを大径部１１ｃに挿入する。
【００１９】
次に、図１０に示すように、ガイド軸１６をガイド孔１１ｂに沿って移動させる。このとき、スライダ部１１ａが傾斜面を形成しているため、フェースプレート７は図１０の矢印Ｑ方向、即ち斜め下方へ移動され、ボックス６側へ引き込まれる。最後に、図１１に示すように、複数のねじ１８により、フェースプレート側ねじ固定部１７をボックス側ねじ固定部１３に固定し、カバー１０を閉じる。
【００２０】
このようなかご操作盤では、フェースプレート７をボックス６に取り付ける際、スライダ部１１ａの傾斜とフェースプレート７の自重とにより、フェースプレート７をボックス６側に引き込ませることができる。また、フェースプレート７のボックス６への取付に弾性体を用いないため、大きな力を必要としない。このため、フェースプレート７のボックス６への取付・取り外しを容易にすることができる。
【００２１】
実施の形態２．
次に、図１２はこの発明の実施の形態２によるかご操作盤の軸付き金具１４を示す斜視図である。図において、ガイド軸本体１６ａの中間部には、ガイド孔１１ｂに挿入する方向へのガイド軸１６の変位を規制するフランジ状のストッパ部（突起部）１６ｃが設けられている。ストッパ部１６ｃは、スライダ部１１ａの板厚以上の間隔をおいて抜止部１６ｂに対向している。また、ストッパ部１６ｃは、大径部１１ｃよりも大きい。他のかご操作盤全体の構成は、実施の形態１と同様である。
【００２２】
図１３〜図１５は実施の形態２のフェースプレート７のボックス６への取付手順を示す断面図であり、図２のＣ−Ｃ断面を示している。フェースプレート７をボックス６に取り付ける場合、まず図１３に示すように、抜止部１６ｂが大径部１１ｃに対向するように、フェースプレート７をボックス６に対向させる。この後、図１４に示すように、フェースプレート７を矢印Ｐ方向へ前進させ、抜止部１６ｂを大径部１１ｃに挿入する。
【００２３】
次に、図１５に示すように、ガイド軸１６をガイド孔１１ｂに沿って移動させる。このとき、スライダ部１１ａが傾斜面を形成しているため、フェースプレート７は図１５の矢印Ｑ方向、即ち斜め下方へ移動され、ボックス６側へ引き込まれる。最後に、ねじ１８により、フェースプレート側ねじ固定部１７をボックス側ねじ固定部１３に固定し、カバー１０を閉じる。
【００２４】
このようなかご操作盤では、ガイド軸１６にストッパ部１６ｃが設けられているため、フェースプレート７をボックス６に取り付ける際、フェースプレート７の奥行き方向への移動を制限することができる。このため、フェースプレート７の角が袖壁４ａに接触して袖壁４ａを傷付ける可能性を低減させ、作業効率を向上させることができる。
【００２５】
なお、かご操作盤５のかご室１への取付位置や、かご操作盤５内でのインジケータ８や操作ボタン９のレイアウトは特に限定されるものではない。
また、上記の例では、スライダ金具１１と軸付き金具１４とを２組用いたが、２組に限定されるものではない。
さらに、上記の例では、かご操作盤５を示したが、この発明の構造は、乗場に設置される乗場操作盤にも適用できる。
【符号の説明】
【００２６】
６  ボックス、７  フェースプレート、１１ａ  スライダ部、１１ｂ  ガイド孔、１１ｃ  大径部、１１ｄ  長孔部、１６  ガイド軸、１６ａ  ガイド軸本体、１６ｂ  抜止部、１６ｃ  ストッパ部。
【図１】
2012153520.tif 000003
【図２】
2012153520.tif 000004
【図３】
2012153520.tif 000005
【図４】
2012153520.tif 000006
【図５】
2012153520.tif 000007
【図６】
2012153520.tif 000008
【図７】
2012153520.tif 000009
【図８】
2012153520.tif 000010
【図９】
2012153520.tif 000011
【図１０】
2012153520.tif 000012
【図１１】
2012153520.tif 000013
【図１２】
2012153520.tif 000014
【図１３】
2012153520.tif 000015
【図１４】
2012153520.tif 000016
【図１５】
2012153520.tif 000017